(57)【要約】【課題】  第三者が可搬式発電機を持ち去ってエンジンを始動させたとしても、発電機としての機能を得ることができず、大きな盗難抑制効果が得られる可搬式発電機の盗難抑制装置を提供する。【解決手段】  エンジンにより駆動される同期発電機１１と、該同期発電機から出力される電圧をあらかじめ設定された電圧に自動的に調整する自動電圧調整器２１とを備えた可搬式発電機において、各自動電圧調整器にそれぞれ設定された固有のＩＤコード記憶値（Ｃ１）と、エンジンのスタートキーとは別のＩＤキー３２から入力されたＩＤコード入力値（Ｃ２）とを照合し、前記ＩＤコード記憶値と前記ＩＤコード入力値とが一致したときにのみ、前記自動電圧調整器を作動可能な状態とするＩＤ照合部３１を設ける。【選択図】  図１
2007004324.tif 000002
【特許請求の範囲】
【請求項１】
エンジンと、該エンジンにより駆動される同期発電機と、該同期発電機から出力される電圧をあらかじめ設定された電圧に自動的に調整する自動電圧調整器とを備えた可搬式発電機において、各自動電圧調整器にそれぞれ設定された固有のＩＤコード記憶値と、エンジンのスタートキーとは別のＩＤキーから入力されたＩＤコード入力値とを照合し、前記ＩＤコード記憶値と前記ＩＤコード入力値とが一致したときにのみ、前記自動電圧調整器を作動可能な状態とするＩＤ照合部を設けたことを特徴とする可搬式発電機の盗難抑制装置。
【請求項２】
前記ＩＤ照合部は、前記自動電圧調整器に一体に組み込まれていることを特徴とする請求項１記載の可搬式発電機の盗難抑制装置。
【発明の詳細な説明】
【技術分野】
【０００１】
本発明は、可搬式発電機の盗難抑制装置に関し、詳しくは、エンジンにより同期発電機を駆動するとともに、同期発電機の出力電圧を設定電圧に調整する自動電圧調整器を備えた可搬式発電機の盗難抑制装置に関する。
【背景技術】
【０００２】
従来から、可搬式発電機の盗難を防止又は抑制するため、多くの提案がなされてきている。例えば、可搬式発電機に設けられている吊り具のバーやロープ掛けに閉塞部材を係合させてロックするもの（例えば、特許文献１参照。）や、エンジンを始動する際にあらかじめ設定した暗証番号を入力するもの（例えば、特許文献２参照。）などが知られている。また、バックホー等の建設機械では、イモビライザを装着することにより、第三者によるエンジン始動を防止するようにしたものがある。
【特許文献１】特開２００３−２１４１７４号公報
【特許文献２】特開２００３−９０２５６号公報
【発明の開示】
【発明が解決しようとする課題】
【０００３】
両者は、それぞれ可搬式発電機の盗難に対してある程度の防止効果や抑制効果は期待できるが、特許文献１に記載されたものでは、前記閉塞部材を強引に破壊して盗難する行為にまでは対応できないという問題がある。また、特許文献２に記載されたものでは、暗証番号として不用意に安易な番号を設定してしまうことが多く、盗難抑制効果がしばしば無力化されてしまうことが知られている。
【０００４】
さらに、これらの対応では、持ち去ることに成功した可搬式発電機は、スタートキーが無くても内部の配線を直結することによってエンジンを始動できれば、第三者が簡単に発電機として使用できるという弱点がある。また、エンジンを始動できなくても、他のエンジン等の駆動手段と組み合わせることにより、発電機としての所定の機能が得られてしまう。
【０００５】
そこで本発明は、第三者が可搬式発電機を持ち去ってエンジンを始動させたとしても、発電機としての機能を得ることができず、大きな盗難抑制効果が得られる可搬式発電機の盗難抑制装置を提供することを目的としている。
【課題を解決するための手段】
【０００６】
上記目的を達成するため、本発明の可搬式発電機の盗難抑制装置は、エンジンと、該エンジンにより駆動される同期発電機と、該同期発電機から出力される電圧をあらかじめ設定された電圧に自動的に調整する自動電圧調整器とを備えた可搬式発電機において、各自動電圧調整器にそれぞれ設定された固有のＩＤコード記憶値と、エンジンのスタートキーとは別のＩＤキーから入力されたＩＤコード入力値とを照合し、前記ＩＤコード記憶値と前記ＩＤコード入力値とが一致したときにのみ、前記自動電圧調整器を作動可能な状態とするＩＤ照合部を設けたことを特徴としている。さらに、本発明は、前記ＩＤ照合部が前記自動電圧調整器に一体に組み込まれていることを特徴としている。
【発明の効果】
【０００７】
本発明の可搬式発電機の盗難抑制装置によれば、ＩＤコードが一致しなければ自動電圧調整器が正常に作動しないので、同期発電機の回転電機子部がエンジンにより駆動されて回転したとしても所定の電圧が出力されず、発電機として機能しない。これにより、可搬式発電機の盗難が無意味であることが認識され、可搬式発電機の盗難抑制となる。また、ＩＤキーからコードの入力を行うことにより、暗証番号に比べて複雑なＩＤコードをあらかじめ各自動電圧調整器毎に設定しておくことできるので、より大きな盗難抑制効果が得られる。さらに、照合部を自動電圧調整器と一体化することにより、分解して自動電圧調整器だけを作動させることが不可能な状態にできる。
【発明を実施するための最良の形態】
【０００８】
図１は本発明の可搬式発電機における盗難抑制装置の一形態例を示す概略ブロック図、図２は自動電圧調整器（ＡＶＲ）の機能を説明するための説明図である。
【０００９】
まず、図２に示すように、可搬式発電機に設けられている同期発電機１１は、フレーム等の固定電機子部に設けられたエキサイタ界磁コイル１２及び主発電電機子１３と、エンジン１４によって回転駆動される回転電機子部１５に設けられたエキサイタ電機子１６及び主発電界磁コイル１７とを備えている。このような同期発電機１１では、エキサイタ界磁コイル１２に直流電圧を印加して該エキサイタ界磁コイル１２に磁力を発生させると、この磁力によってエキサイタ電機子１６に前記直流電圧よりも高い交流電圧が発生し、この交流電圧がダイオード１８で整流されて主発電界磁コイル１７に印加され、主発電界磁コイル１７に磁力が発生する。そして、磁力を有する主発電界磁コイル１７が回転することにより、主発電電機子１３に交流電圧が発生して負荷１９に供給される。
【００１０】
発生した交流電圧を所定の電圧に保つためには、エキサイタ界磁コイル１２に印加する直流電圧の電流量を調整してエキサイタ界磁コイル１２に発生する磁力を調整し、このエキサイタ界磁コイル１２からエキサイタ電機子１６及びダイオード１８を介して主発電界磁コイル１７に印加される電圧（電流）を調整することにより、主発電界磁コイル１７に発生する磁力を調整する必要がある。
【００１１】
自動電圧調整器（ＡＶＲ）２１は、同期発電機１１の主発電電機子１３から負荷１９に出力される交流電圧に応じてエキサイタ界磁コイル１２に印加する電流量を自動的に調整するものであって、同期発電機１１の出力電圧を検出する電圧検出部２２と、電圧設定器２３により電圧指令部２４に設定された電圧と、電圧検出部２２で検出した電圧と電圧指令部２４から指令された電圧とを比較する比較部２５と、比較部２５での比較結果に応じてエキサイタ界磁コイル１２に供給する電流量を演算する演算器２６と、演算器２６での演算結果に基づいてエキサイタ界磁コイル１２に所定の電流を出力する増幅器２７とを備えている。
【００１２】
電圧設定器２３で設定した設定電圧（目標電圧）に対して、同期発電機１１の出力電圧が低下したときには、増幅器２７からエキサイタ界磁コイル１２に供給する電流量を増加させて出力電圧が設定電圧になるように調整し、同期発電機１１の出力電圧が設定電圧より上昇したときには、増幅器２７からエキサイタ界磁コイル１２に供給する電流量を減少させて出力電圧が設定電圧になるように調整する。
【００１３】
一般に、同期発電機１１は、各コイルの巻線の状態等によって個々の同期発電機毎に異なる特性を有しているため、一つの同期発電機１１に付設される自動電圧調整器２１は、その同期発電機１１の特性に応じて演算器２６等の機能を調整している。したがって、一つの同期発電機に取り付けられている自動電圧調整器を取り外して他の同期発電機に取り付けても、他の同期発電機が正常に作動することはなく、同一メーカーの同期発電機と自動電圧調整器とを組み合わせたとしても、所望の出力電圧が得られなかったり、出力電圧がばらついたり（ハンチング）、制御不能な状態になったりする。さらに、電流を流し過ぎて同期発電機や自動電圧調整器が焼損するおそれもある。また、他メーカーの同期発電機と自動電圧調整器とを組み合わせることはほとんど不可能であり、たとえ組み合わせたとしても、同期発電機で正常な発電を行うことは不可能である。
【００１４】
このような同期発電機１１と自動電圧調整器２１とを有する可搬式発電機における盗難抑制装置３０は、図１に示すように、ＩＤ照合部３１とＩＤキー３２とにより形成されている。ＩＤ照合部３１は、各自動電圧調整器２１毎にそれぞれ設定されている固有のＩＤコード（Ｃ１）を記憶した記憶部３３と、ＩＤキー３２に設定されたＩＤコード（Ｃ２）が入力される入出力部３４と、入出力部３４に入力されたＩＤコード入力値（Ｃ２）と記憶部３３に記憶しているＩＤコード記憶値（Ｃ１）とを比較し、両ＩＤコードＣ１，Ｃ２が一致したときに自動電圧調整器２１の作動許可信号Ｓ３を発生する制御部３５とで構成されている。
【００１５】
スタートキーによりエンジン１４を始動したときに、ＩＤキー３２から入出力部３４にＩＤコード（Ｃ２）が入力されると、このＩＤコード（Ｃ２）と、記憶部３３に記憶しているＩＤコード（Ｃ１）とを制御部３５で比較照合し、両ＩＤコードＣ１，Ｃ２が一致したときにのみ自動電圧調整器２１の作動許可信号Ｓ３を発生させ、この作動許可信号Ｓ３を入出力部３４から自動電圧調整器２１に出力する。
【００１６】
自動電圧調整器２１では、前記作動許可信号Ｓ３を受信しない状態では、前記電圧検出部２２、電圧設定器２３、電圧指令部２４、比較部２５、演算器２６及び増幅器２７の少なくともいずれか一つが動作不能な状態となっており、ＩＤ照合部３１からの作動許可信号Ｓ３を受信したときにのみ、全てが動作可能な状態となり、自動電圧調整器２１が正常に機能して同期発電機１１を発電可能な状態にするとともに、出力電圧が目標の設定電圧になるように自動的に調整する。
【００１７】
したがって、ＩＤ照合部３１の記憶部３３に記憶されているＩＤコード（Ｃ１）に対応するＩＤコード（Ｃ２）を設定したＩＤキー３２が無ければ可搬式発電機による発電を正常に行えないことになる。すなわち、第三者が可搬式発電機を持ち去り、何らかの手段でエンジン１４を始動して同期発電機１１の回転電機子部１５を所定回転数で回転させたとしても、ＩＤ照合部３１からの作動許可信号Ｓ３を受信しない限りは、エキサイタ界磁コイル１２に適正な直流電圧が印加されないので、所望の出力電圧が得られなかったり、出力電圧がばらついたり、制御不能な状態になったりして発電機としての機能を得ることができない。これにより、この形式の可搬式発電機を持ち去っても無意味であることが認識され、可搬式発電機の盗難に対して大きな抑制効果が得られる。
【００１８】
ＩＤキー３２は、エンジンのスタートキーとは別の接触式あるいは非接触式のものを利用することができ、無線方式、赤外線方式、磁気読取方式、スキャナ等によってＩＤコード（Ｃ２）を入出力部３４に取り込むことが可能ならばよく、ＩＣタグ（ＩＣチップ）、磁気ストラップ、バーコード、二次元コード等を利用することができる。特に、ＩＣタグを内蔵したＩＣカードを利用することにより、複雑なＩＤコードを設定することができるとともに、取り扱いも簡便であり、入出力部３４への入力も容易に行うことができるという利点がある。
【００１９】
図３の概略ブロック図に示すように、前記ＩＤ照合部と自動電圧調整器とを一体に組み込むことができる。すなわち、盗難抑制装置を構成する前記制御部３１の機能、及び、前記自動電圧調整器２１を構成する電圧指令部２４、比較部２５、演算器２６等の機能を有する制御部４１と、前記ＩＤコード（Ｃ１）を記憶する記憶部４２と、各種入出力を行う入出力部４３とを一体に形成している。入出力部４３には、同期発電機１１の発電電圧Ｖｇ、電圧設定器２３の設定電圧Ｖｓ、ＩＤキー読み取り装置４４で読み取ったＩＤキー３２からのＩＤコード（Ｃ２）等が入力されるとともに、入出力部４３からは増幅器２７の制御信号Ｓ４が出力されており、増幅器２７から同期発電機１１の前記エキサイタ界磁コイル１２に所定量の電流が出力される。
【００２０】
このようにＩＤ照合部と自動電圧調整器とを一体形成した場合であっても、ＩＤキー３２から入力されたＩＤコード（Ｃ２）と記憶部４２に記憶したＩＤコード（Ｃ１）とが一致した場合にのみ、自動電圧調整器としての機能が動作可能な状態とすることにより、前記同様に、対応するＩＤキーが無ければ、エンジンを始動しても同期発電機１１を正常に機能させることができない状態となる。また、ＩＤ照合部と自動電圧調整器とを一体形成することにより、分解して自動電圧調整器だけを作動させることが不可能な状態になり、部品点数の削減も図れる。
【００２１】
また、図４の概略ブロック図に示すように、自動電圧調整器２１に目標電圧を設定するための電圧設定器２３の機能をＩＤ照合部３１によって制御するように形成することもできる。この場合は、ＩＤキー読み取り装置４４で読み取ったＩＤキー３２からのＩＤコード（Ｃ２）と、ＩＤ照合部３１に記憶されているＩＤコード（Ｃ１）とが一致したときにのみ、電圧設定器２３に設定した電圧に対応する信号Ｓ５が自動電圧調整器２１に入力されるように形成している。したがって、ＩＤコードが一致しないときには、自動電圧調整器２１への電圧設定を行えず、同期発電機１１が発電しない状態、あるいは、所望の電圧を得られない状態となる。
【図面の簡単な説明】
【００２２】
【図１】本発明の可搬式発電機における盗難抑制装置の一形態例を示す概略ブロック図である。
【図２】自動電圧調整器の機能を説明するための説明図である。
【図３】ＩＤ照合部と自動電圧調整器とを一体に組み込んだ例を示す概略ブロック図である。
【図４】電圧設定器の機能をＩＤ照合部によって制御するように形成した例を示す概略ブロック図である。
【符号の説明】
【００２３】
１１…同期発電機、１２…エキサイタ界磁コイル、１３…主発電電機子、１４…エンジン、１５…回転電機子部、１６…エキサイタ電機子、１７…主発電界磁コイル、１８…ダイオード、１９…負荷、２１…自動電圧調整器、２２…電圧検出部、２３…電圧設定器、２４…電圧指令部、２５…比較部、２６…演算器、２７…増幅器、３０…盗難抑制装置、３１…ＩＤ照合部、３２…ＩＤキー、３３…記憶部、３４…入出力部、３５…制御部、４１…制御部、４２…記憶部、４３…入出力部、４４…ＩＤキー読み取り装置
【図１】
2007004324.tif 000003
【図２】
2007004324.tif 000004
【図３】
2007004324.tif 000005
【図４】
2007004324.tif 000006